(57)【要約】      （修正有）【課題】点火時に発生するガスの急激な圧力、衝撃に耐えうる点火起動装置を、単純な構造で提供する。【解決手段】アイレット１１４の側面１１３ｂおよび下面１１３ａに凹凸を形成することにより、アイレット１１４と成形部材１０３との界面の接着面積を拡大するとともに、凹凸に成形部材１０３が充填されるので、アンカー効果を奏して強固な密着性を得ることが出来、単純な構造で、点火時に発生するガスの急激な圧力、衝撃に耐えることが出来る。【選択図】図１
2012092985.tif 000002
【特許請求の範囲】
【請求項１】
金属部分を含むアイレットと、
前記金属部分の第１の主面に導電可能な状態で一体化して接続される第１の導電性ピンと、
前記アイレットに形成される貫通孔と、
前記貫通孔に挿通配置される第２の導電性ピンと、
前記貫通孔内で前記第２の導電性ピンを保持する絶縁材料と、
前記金属部分の前記第１の主面に対する裏面である第２の主面と前記第２の導電性ピンとの間を架橋するブリッジワイヤーと、
前記アイレットの前記第１の主面側と側面との露出部分に形成される凹凸と、
前記アイレット上に前記ブリッジワイヤーと接して圧填される点火薬と、
前記点火薬を覆う蓋部材と、
フランジ部を備えた金属製カラーと、
前記アイレット及び第１の導電性ピン並びに前記第２の導電性ピンを前記金属製カラー内で保持する成形部材と
を有することを特徴とする点火起動装置。
【請求項２】
前記凹凸により、前記アイレットの前記第１の主面側と側面との露出部分の表面粗さがＲｚ＝２μｍ以上となることを特徴とする請求項１記載の点火起動装置。
【発明の詳細な説明】
【技術分野】
【０００１】
本発明は、ブリッジワイヤーに通電することにより膨張システムなどが備える点火対象を点火する点火起動装置に関する。
【背景技術】
【０００２】
車両にエアバッグシステムを搭載することが一般的になっている。このエアバッグシステムの作動、即ち、バッグの膨張において、ガスをエアバッグに満たす際の点火起動装置として、発熱体であるブリッジワイヤーに通電することで発熱体を加熱し、発熱体に隣接して配置された点火対象への点火を行う、点火起動端子が組み込まれた点火起動装置が知られている。
【０００３】
以下、図４を用いて従来の点火起動装置について説明する。
図４は従来の点火起動装置を示す断面図である。
図４において、従来の点火起動装置は、フランジ部４０８を備えた金属製カラー４０１と、この金属製カラー４０１に保持される点火起動端子とを有し、点火起動端子は、樹脂材料を用いた成形部材４０３と、成形部材４０３の端部に露出するアイレット４１４と、アイレット４１４により電気的に絶縁して一体化されて当該成形部材４０３で保持される一対の導電性ピン４０２とで構成される。また、フランジ部４０８と導電性ピン４０２との間に成形部材４０３を射出成形し、金属製カラー４０１と、アイレット４１４で一体化された導電性ピン４０２とを一体化して基部４０４が形成されている。また、金属製カラー４０１と成形部材４０３との接合部には、成形部材４０３の脱落や脱離を阻止するための脱落防止手段として、金属製カラー４０１のフランジ部４０８の内周面に突起部４１３を形成している。例えば、点火起動装置は、ガス発生剤が充填された筒状部材４１１と接続され、ガスの発生に用いられる（例えば、特許文献１参照）。
【先行技術文献】
【特許文献】
【０００４】
【特許文献１】特開２００２−９００９７号公報
【発明の概要】
【発明が解決しようとする課題】
【０００５】
しかしながら、従来の点火起動装置において、筒状部材４１１内のガス発生剤へ点火する時に急激にガスが発生するため、筒状部材４１１内の内圧が増大して、エアバックを膨張させるとともに、アイレット４１４を固定している成形部材４０３やアイレット４１４は導電性ピン４０２のアウター方向への圧力、衝撃を受けることになる。
【０００６】
上述した従来の点火起動装置では、金属製カラー４０１と成形部材４０３との保持手段としては一定の効果を有しているが、アイレット４１４と成形部材４０３との間における保持については考慮されておらず、ガス発生剤の点火時に成形部材４０３と点火起動端子が分離して、アイレット４１４、成形部材４０３への圧力、衝撃により、点火起動端子の支持機能が低下する。場合によってはこれらの部材は変形、破損、脱落、飛散などの不具合が発生する。
【０００７】
さらに、金属製カラー４０１のフランジ部４０８につくられた突起部４１３により、構造が複雑になり、樹脂材料４０３の充填性が悪くなって樹脂中の気泡抱きこみなどの不具合が発生する。
【０００８】
本発明は、点火時に発生するガスの急激な圧力、衝撃に耐えうる点火起動装置を、単純な構造で提供することを目的とする。
【課題を解決するための手段】
【０００９】
上記目的を達成させるために、本発明の点火起動装置は、金属部分を含むアイレットと、前記金属部分の第１の主面に導電可能な状態で一体化して接続される第１の導電性ピンと、前記アイレットに形成される貫通孔と、前記貫通孔に挿通配置される第２の導電性ピンと、前記貫通孔内で前記第２の導電性ピンを保持する絶縁材料と、前記金属部分の前記第１の主面に対する裏面である第２の主面と前記第２の導電性ピンとの間を架橋するブリッジワイヤーと、前記アイレットの前記第１の主面側と側面との露出部分に形成される凹凸と、前記アイレット上に前記ブリッジワイヤーと接して圧填される点火薬と、前記点火薬を覆う蓋部材と、フランジ部を備えた金属製カラーと、前記アイレット及び第１の導電性ピン並びに前記第２の導電性ピンを前記金属製カラー内で保持する成形部材とを有することを特徴とする。
【００１０】
また、前記凹凸により、前記アイレットの前記第１の主面側と側面との露出部分の表面粗さがＲｚ＝２μｍ以上となることが好ましい。
以上により、単純な構造で、点火時に発生するガスの急激な圧力、衝撃に耐えることが出来る。
【発明の効果】
【００１１】
以上のように、アイレットの側面および下面に凹凸を形成することにより、アイレットと成形部材との界面の接着面積を拡大するとともに、凹凸に成形部材が充填されるので、アンカー効果を奏して強固な密着性を得ることが出来、単純な構造で、点火時に発生するガスの急激な圧力、衝撃に耐えることが出来る。
【図面の簡単な説明】
【００１２】
【図１】本発明の点火起動装置の構造を示す断面図
【図２】本発明の点火起動装置におけるアイレットの要部断面図
【図３】本発明の点火起動装置におけるアイレットを示す斜視図
【図４】従来の点火起動装置を示す断面図
【発明を実施するための形態】
【００１３】
点火起動端子は、成形部材及び筒状部材の外側からキャビティーへの導電経路となる１つ以上の導電性のピンを有している。導電性のピンには、ブリッジワイヤーと呼ばれる電気抵抗部材が配置され、ブリッジワイヤーの近傍には、プライマと称される温度に対する感度が非常に高い化合物が配置され、このプライマに近接して、点火薬（又は出力チャージ）と呼ばれる別の化合物も収容したキャビティーで構成されている。また、点火起動装置は、点火起動端子を絶縁材料で形成された成形部材を介して金属製カラーに保持されている。さらに、金属性カラーから成形部材が脱落することを防止するために、金属製カラーに、成形部材を保持する内向きフランジ状のフランジ部を有しているものがある。
【００１４】
以下、エアバックシステム等の膨張システムの点火起動に使用される本発明の点火起動装置の構造について、図１〜図３を参照して説明する。図１は本発明の点火起動装置の構造を示す断面図である。図２は本発明の点火起動装置におけるアイレットの要部断面図である。図３は本発明の点火起動装置におけるアイレットを示す斜視図である。
【００１５】
図１〜図３において、点火起動装置１００は、フランジ部１０８を備えた金属製カラー１０１と、絶縁材料である樹脂材料からなる成形部材１０３を介して金属製カラー１０１に保持される点火起動端子とを有する。点火起動端子は、導電性金属からなる円盤状の金属部分１１７を含んだアイレット１１４と、金属部分１１７に導電可能な状態で一体化して接続された一方の導電性ピン１０２ａと、金属部分１１７の厚さ方向に貫通した貫通孔１１５に挿通して配置されたもう一方の導電性ピン１０２ｂとから構成される。導電性ピン１０２ｂは、貫通孔１１５内に充填された樹脂、セラミック、ガラスなどの絶縁材料１１６で保持される。また、導電性ピン１０２ａと導電性ピン１０２ｂとを合わせ導電性ピン１０２と称す。金属性カラー１０１，導通ピン１０２，成形部材１０３およびアイレット１１４で基部１０４を構成し、点火起動装置１００は点火薬１０６を内包した筒状部１１１と基部１０４とで構成される。
【００１６】
両導電性ピン１０２ａ，１０２ｂは、絶縁材料（例えば、ガラス）１１６によって電気的に絶縁されている。この場合、アイレット１１４の金属部分１１７は、一方の導電性ピン１０２ａと接続されて導電性ピン１０２ａの頭部を形成し、その接続面に対する裏面は凹凸が少ない平滑な面で構成され、導電性ピン１０２ａ，１０２ｂは、その頭部を電気的に絶縁された状態で、アイレット１１４により一体化される。そして、この導電性ピン１０２の頭部同士の間には絶縁材料（例えば、ガラス）１１６が設けられている。この導電性ピン１０２の頭部は、筒状部１１１内に装填された点火薬１０６と接するように配置され、導電性ピン１０２の軸方向他端側は、成形部材１０３から突出させて設けられ、作動信号を伝えるためのコネクタが接続されることになる。導電性ピン１０２の頭部となる導電性ピン１０２ｂの端部は絶縁材料１１６から露出しており、アイレット１１４と面一であることが好ましい。
【００１７】
また、基部１０４の成形部材１０３からアイレット１１４の端面が露出しており、貫通孔１１５内の導電性ピン１０２ｂの先端部と金属部分１１７との間にはタングステン、クロムなどからなるブリッジワイヤー１０７が架橋され、ブリッジワイヤー１０７と金属部分１１７とを介して導電性ピン１０２ａと導電性ピン１０２ｂとが接続されている。このブリッジワイヤー１０７は電気的抵抗体を用いて形成されており、導電性ピン１０２が受け取った電気的エネルギー（作動信号）を熱エネルギーに変換し、点火薬１０６を点火する役目を果たす。
【００１８】
このとき、アイレット１１４の金属部分１１７のブリッジワイヤー１０７との接続面は、ブリッジワイヤー１０７を架橋する必要性から凹凸が少ない平滑な面となっているが、それとは別にあえて、アイレット１１４の金属部分１１７の下面１１３ａと、側面１１３ｂには微細な凹凸１１８が形成された粗面となる。ここで、アイレット１１４の金属部分１１７は、アイレット１１４の円盤部分全体であっても良いし、少なくとも導電性ピン１０２ａの接続領域周辺からブリッジワイヤー１０７形成面までが金属部分１１７であれば良い。
【００１９】
このように、アイレット１１４の下面１１３ａと側面１１３ｂとに微細な凹凸１１８を形成することにより、アイレット１１４と樹脂材料である成形部材１０３との密着性を向上させ、ガス発生剤の点火時のアイレット１１４、樹脂材料への圧力、衝撃により、成形部材１０３がアイレット１１４を支持する機能が低下することを防ぐことが可能となる。また、変形、破損、脱落、飛散などの不具合を阻止することが可能となる。
【００２０】
それぞれの粗面は、例えば、プレス加工によってアイレット１１４の金属部分１１７を形成することで、下面１１３ａと側面１１３ｂとにＲｚ２μｍ以上の凹凸を容易に形成することが出来る。その粗面は、プレス加工により形成した場合、Ｒｚ４μｍ以上となり、樹脂材料との密着性の向上に効果的である。
【００２１】
なお、アイレット１１４の金属部分１１７における一方の導電性ピン１０２ａの頭部となる上面は、ブリッジワイヤー１０７を架橋するためにその表面は凹凸が少ない平滑な面で構成され、例えば、研磨加工により、面粗度はＲｚ０．５〜２μｍ程度に形成されている。
【００２２】
また、アイレット１１４の金属部分１１７の下面１１３ａと、側面１１３ｂの粗面についてはプレス加工のせん断加工による表面の粗面化の他に刻印などで凹凸を加えるマーキング加工、切削加工による形状追加などの後加工などでも、有効で必要な密着性が得られるように適宜、追加選択が可能である。
【００２３】
点火起動端子は、絶縁材料として樹脂材料を用いてなる成形部材１０３と、成形部材１０３の端部に露出するアイレット１１４と、アイレット１１４で電気的に絶縁して一体化されて成形部材１０３で保持される一対の導電性ピン１０２とを含んで構成される。
【００２４】
成形部材１０３を形成する樹脂材料は従来から用いられている、ガラス繊維、その他の無機充填材料を含有するポリフェニレンサルファイド（ＰＰＳ）又はミネラル等の無機充填物を含有する液晶ポリマー（ＬＣＰ）等の樹脂材料が使用可能である。
【００２５】
点火起動装置１００には、点火薬１０６が配置され、開口縁にフランジ１０９を有した筒状部１１１からなる蓋部材１０５で基部１０４を覆い接続されている。
かかる構成によれば、ブリッジワイヤー１０７が架橋されるアイレット１１４の金属部分１１７の上面側は平滑面を確保しているので、電気的抵抗体としてのブリッジワイヤー１０７との接続が安定し、ブリッジワイヤー１０７の抵抗値のばらつきを抑えることができる。さらに、金属部分１１７の側面１１３ｂおよび下面１１３ａには凹凸を形成しているので、アイレット１１４と成形部材１０３との界面の接着面積を拡大するとともに、凹凸の隙間に成形部材１０３が充填されるので、アンカー効果を奏してアイレット１１４と成形部材１０３とが強固な密着性を得ることが出来、単純な構造で、点火時に発生するガスの急激な圧力、衝撃に耐えることが出来る。
【００２６】
また、粗面は切削加工、プレス加工などで比較的容易に形成することができるので、部材の加工コストを低減させ安価に供給することができる。
【産業上の利用可能性】
【００２７】
本発明は、単純な構造で、点火時に発生するガスの急激な圧力、衝撃に耐えることが出来、ブリッジワイヤーに通電することにより膨張システムなどが備える点火対象を点火する点火起動装置等に有用である。
【符号の説明】
【００２８】
１００    点火起動装置
１０１    金属製カラー
１０２    導電性ピン
１０２ａ    導電性ピン
１０２ｂ    導電性ピン
１０３    成形部材
１０４    基部
１０５    蓋部材
１０６    点火薬
１０７    ブリッジワイヤー
１０８    フランジ部
１０９    フランジ
１１１    筒状部
１１３ａ    下面
１１３ｂ    側面
１１４    アイレット
１１５    貫通孔
１１６    絶縁材料
１１７    金属部分
１１８    凹凸
４０１    金属製カラー
４０２    導電性ピン
４０３    成形部材
４０４    基部
４０８    フランジ部
４１１    筒状部材
４１３    突起部
４１４    アイレット
【図１】
2012092985.tif 000003
【図２】
2012092985.tif 000004
【図３】
2012092985.tif 000005
【図４】
2012092985.tif 000006